(57)【要約】【課題】暖房運転時に室外熱交換器が着霜し、除霜運転を行っている間であってもユーザに暖かさを感じさせることができる空気調和機を提供することを目的とする。【解決手段】熱交換器を通過した空気を送風するメインファン２６５と、メインファン２６５の両側の少なくとも一方に熱交換器を通過させない空気を送風するサイドファン２６６とを有する室内機２０と、圧縮機４３、室外熱交換器４４、室外ファンを有する室外機４０とを備え、冷凍回路で空調を行い、暖房運転中に室外機熱交換器４４が着霜したか否か判断する着霜判定手段を備え、着霜判定手段は室外機熱交換器４４が着霜したと判断すると、冷凍回路を冷房サイクルに切り換えて室外機熱交換器４４に付着した霜を取り除く除霜運転を開始するとともに、メインファン２６５を停止しサイドファン２６６だけで送風運転を行うようにする。【選択図】図３
2014173737.tif 000002
【特許請求の範囲】
【請求項１】
内部に熱交換器を備え、前記熱交換器を通過させた調和空気を送風するメインファンと、該メインファンの両側の少なくとも一方に前記熱交換器を通過させない室内空気を送風するサイドファンとを有する室内機と、圧縮機と、室外熱交換器と、室外ファンとを有する室外機とを備え、前記圧縮機、前記室外熱交換器、前記室内熱交換器が冷媒管によって接続された冷凍回路により空調を行う空気調和機であって、
前記室内機には、少なくとも冷凍回路と、前記メインファンおよびサイドファンの運転とを制御する室内機制御部と、
前記空気調和機には前記室外機熱交換器が着霜したか否か判断する着霜判定手段を備え、
前記着霜判定手段が、暖房運転中に前記室外機熱交換器が着霜したと判断した場合、前記室内機制御部は、制御部前記冷凍回路を冷房サイクルに切り替えて除霜運転を開始するするとともに、前記メインファンを停止させ、前記サイドファンを運転させることを特徴とする空気調和機。
【請求項２】
前記室内機制御部は、前記サイドファンにより送風される室内空気の風向を制御する手段を設け、除霜運転中における前記サイドファンの風向を水平方向とすることを特徴とする請求項１に記載の空気調和機。
【発明の詳細な説明】
【技術分野】
【０００１】
本発明は、複数の吹出口から吹き出される気流の制御を行う空気調和機に関する。
【背景技術】
【０００２】
従来の空気調和機は、暖房運転中に室外熱交換器が着霜すると、室内送風機の運転を停止し、冷媒の流れを切り換えて除霜運転を開始することが一般的に行われている（例えば、特許文献１参照）。
【先行技術文献】
【特許文献】
【０００３】
【特許文献１】特開平６−１０１８８７号公報
【発明の概要】
【発明が解決しようとする課題】
【０００４】
特許文献１の空気調和機にあっては、暖房運転中に室外熱交換器が着霜した場合に、冷凍回路を冷房運転に切り換えてリバース除霜運転を開始し、室内に冷気が吹き出さないように室内送風機（ファン）の運転を停止させる。しかし、空気調和機がこのリバース除霜運転を行う間、室内送風機の運転を停止すると、時間の経過と共に暖房運転で暖められた暖気が室内上部に溜まり、冷気が下降して住空間である床面付近に留まり、室内の上部と下部で温度差が生じることから、室内の下部である床面付近にいるユーザにとっては肌寒く感じる。
【０００５】
本発明は、上記に鑑みてなされたものであって、暖房運転時に室外熱交換器が着霜し、リバース除霜運転を行っている間であってもユーザに寒さを感じさせないようにすることができる空気調和機を提供することを目的とする。
【課題を解決するための手段】
【０００６】
上述した目的を達成するために、本発明の空気調和機は、内部に熱交換器を備え、前記熱交換器を通過させた調和空気を送風するメインファンと、該メインファンの両側の少なくとも一方に前記熱交換器を通過させない室内空気を送風するサイドファンとを有する室内機と、圧縮機と、室外熱交換器と、室外ファンとを有する室外機とを備え、前記圧縮機、前記室外熱交換器、前記室内熱交換器が冷媒管によって接続された冷凍回路により空調を行う空気調和機であって、前記室内機には、少なくとも冷凍回路と前記メインファンおよびサイドファンの運転とを制御する室内機制御部と、前記空気調和機には前記室外機熱交換器が着霜したか否か判断する着霜判定手段を備え、前記着霜判定手段が、暖房運転中に前記室外機熱交換器が着霜したと判断した場合、前記室内機制御部は、制御部前記冷凍回路を冷房サイクルに切り替えて除霜運転を開始するするとともに、前記メインファンを停止させ、前記サイドファンを運転させることを特徴とする。
【０００７】
また、本発明の空気調和機の室内機制御部は、前記サイドファンにより送風される室内空気の風向を制御する手段を設け、除霜運転中における前記サイドファンの風向を水平方向とすることを特徴とする。
【発明の効果】
【０００８】
本発明の空気調和機によれば、暖房運転中に着霜判定手段は室外機熱交換器が着霜したと判断し、冷凍回路を冷房サイクルに切り換えて除霜運転を行う際、メインファンを停止しサイドファンだけ送風運転を行うようにする。このため、空気調和機は、除霜運転中にメインファンによる冷気を吹き出さないようにすると共に、サイドファンを使って送風することにより、室内空気を攪拌して室内の上部と下部との温度差を少なくし、除霜運転時であってもユーザに寒さを感じさせないようにすることができるという効果を奏する。さらに、サイドファンの風向を水平方向にすることで、風がユーザに直接当たらないようにし、よりユーザに寒さを感じさせないようにすることができる。
【図面の簡単な説明】
【０００９】
【図１】図１は、本発明の一実施例に係る空気調和機の室内機の外観斜視図である。
【図２】図２は、室内機および室外機における概略構成を示すブロック図である。
【図３】図３は、空気調和機の制御系を概略的に示すブロック図である。
【図４】図４は、暖房運転時におけるメインファン気流とサイドファン気流の吹き出し方向を示す空気調和機の斜視図である。
【図５】図５は、除霜運転時におけるメインファン気流の停止状態とサイドファン気流の吹き出し方向を示す空気調和機の斜視図である。
【図６】図６は、本発明の実施例に係る空気調和機の動作を説明するフローチャートである。
【発明を実施するための形態】
【００１０】
以下に、本発明にかかる空気調和機の実施例を図面に基づいて詳細に説明する。なお、この実施例によりこの発明が限定されるものではない。
【００１１】
図１は、本発明の一実施例に係る空気調和機の室内機の外観斜視図であり、図２は、室内機および室外機における概略構成を示すブロック図であり、図３は、空気調和機の制御系を概略的に示すブロック図であり、図４は、暖房運転時におけるメインファン気流とサイドファン気流の吹き出し方向を示す空気調和機の斜視図であり、図５は、除霜運転時におけるメインファン気流の停止状態とサイドファン気流の吹き出し方向を示す空気調和機の斜視図である。
【００１２】
図１に示すように、本実施例に用いられる空気調和機の室内機２０は、本体ユニット２６３とその両側に左ファンユニット２６１と右ファンユニット２６２とを備える。室内機２０の本体ユニット２６３は、主筐体２７を備える。主筐体２７では、筐体本体２８に外装パネル２９が覆い被さる。筐体本体２８には、中央吹出口３０が形成される。外装パネル２９の上部には、図示しない吸込口が形成される。中央吹出口３０は、下向きに開口している。図４に示すように、このような筐体本体２８は、例えば室内の壁面７０に固定することができる。その際、中央吹出口３０の前端３０ａは、後端３０ｂと比べると上方の位置に配置される。その結果、中央吹出口３０は、所定の傾斜角αで前上がりの姿勢に形成される。このような傾斜角αの働きで、気流は中央吹出口３０から床面に向かって下向きに吹き出すことができるだけでなく、床面７１に対して平行（水平方向）に吹き出すこともできる。
【００１３】
そして、中央吹出口３０には、前後一対の上下風向板３１ａ、３１ｂが配置される。上下風向板３１ａ、３１ｂは、それぞれ水平軸線３２ａ、３２ｂ回りで回転することができる。回転に応じて上下風向板３１ａ、３１ｂは、中央吹出口３０を開閉することができる。
【００１４】
また、左ファンユニット２６１は、左サイドファン筐体３３１を備えており、左吹出口３４１が形成され、サイドファンの風向を左右に変える左右風向板３４１ａが配置されている。右ファンユニット２６２は、右サイドファン筐体３３２を備えており、右吹出口３４２が形成され、左右風向板３４２ａが配置されている。この左吹出口３４１と右吹出口３４２は、不図示の駆動機構によって水平軸線３５回りでそれぞれ回転させることで、サイドファンの風向を上下に変えられる。上記した水平軸線３２ａ、３２ｂと水平軸線３５とは、図１に示すように、相互に平行に延びている。筐体３３１と筐体３３２の側面には、サイドパネル３６が覆い被さる。このサイドパネル３６には、側面吸込口３７が形成される。側面吸込口３７は、図１に示すように、例えばスリット状の小開口を集合させて形成する。
【００１５】
本実施例にかかる空気調和機は、上記した室内機２０との間で無線による双方向通信により遠隔から運転操作が行えるリモコン１０を備えている。
【００１６】
本実施例にかかる空気調和機の室内機および室外機は、図２に示すように構成されている。上記した室内機２０の本体ユニット２６３内には、室内熱交換器２６４およびメインファン２６５が組み込まれる。メインファン２６５はクロスフローファンであって、回転によって気流を生成する。本体ユニット２６３には、メインファン２６５の働きにより室内空気が吸い込まれる。吸い込まれた室内空気は室内熱交換器２６４を通過することで冷媒と熱交換され、冷気または暖気が生成される。この室内熱交換器２６４を通り抜けた後の冷気または暖気の気流は、本体ユニット２６３の中央吹出口３０から吹き出され、メインファン気流３０１となる。また、室内熱交換器２６４を通り抜けた気流の流量は、クロスフローファンの回転数によって調整される。
【００１７】
室外機４０の冷凍回路４１は、図２に示すように、四方弁４２、圧縮機４３、室外熱交換器４４、室外ファン４４ａ、膨張弁４５、および冷媒管５０などで構成されている。冷凍回路４１で暖房運転が設定されると、四方弁４２は、第２口４２ｂおよび第４口４２ｄを相互に接続し、第１口４２ａおよび第３口４２ｃを相互に接続する。これにより、圧縮機４３の吐出管４３ａから高温高圧の冷媒が室内熱交換器２６４に供給される。冷媒は、室内熱交換器２６４、膨張弁４５および室外熱交換器４４を順番に流通する。室内熱交換器２６４では、冷媒の熱エネルギーが周囲の空気に放出され、暖気が生成される。暖気は、メインファン２６５の働きで室内空間に吹き出される。冷媒は、膨張弁４５で低圧まで減圧され、室外熱交換器４４において外気の空気から吸熱する。その後、冷媒は圧縮機４３に戻される。この暖房運転中に外気の温度が下がると室外熱交換器に霜が付きやすくなり、霜が付くと熱交換効率（暖房効率）が著しく低下するため除霜する必要がある。
【００１８】
また、冷凍回路４１で冷房運転が設定されると、四方弁４２は、第２口４２ｂおよび第３口４２ｃを相互に接続し、第１口４２ａおよび第４口４２ｄを相互に接続する。これにより、圧縮機４３の吐出管４３ｂから高温高圧の冷媒が室外熱交換器４４に供給される。冷媒は、室外熱交換器４４、膨張弁４５および室内熱交換器２６４を順番に流通する。室外熱交換器４４では、冷媒の熱エネルギーが外気に放出される。冷媒は、膨張弁４５で低圧まで減圧され、室内熱交換器２６４において周囲の空気から吸熱する。これにより生成された冷気は、メインファン２６５の働きで室内空間に吹き出される。室内熱交換器２６４で吸熱した冷媒は、四方弁４２を介して圧縮機４３に戻される。この冷媒の流れは、本実施例の除霜運転時と同様である。つまり、暖房運転における冷媒の流れを逆にすることで、冷媒の熱エネルギーによって室外交換器４４を温めることで室外熱交換器４４に着霜した霜を溶かすことができる。
【００１９】
また、本実施例にかかる空気調和機の左ファンユニット２６１および右ファンユニット２６２は、本体ユニット２６３とは独立して設けられる。左ファンユニット２６１および右ファンユニット２６２は、ファンユニットの内部に遠心送風機からなるサイドファン２６６と、サイドファン２６６から送出される気流を吹き出す左吹出口３４１および右吹出口３４２をそれぞれ備え、図１で説明した駆動機構により水平軸線３５回りに回転させると共に、左吹出口３４１および右吹出口３４２の左右風向板３４１ａ、３４２ａにより各吹出口から吹き出される空気の風向・風量を個別に制御することが可能となる。中央吹出口３０から吹き出される空気は、室内熱交換器２６４を通り抜けた冷気または暖気からなるメインファン気流３０１である。左吹出口３４１および右吹出口３４２から吹き出される左サイドファン気流３４１１と右サイドファン気流３４２１は、それぞれの側面吸込口３７から吸い込んだ室内空気をそのまま吹き出した気流である。
【００２０】
続いて、図３を用いて、本実施例の空気調和機の制御系について説明する。本実施例にかかる空気調和機は、図３に示すように、室内機２０と室外機４０とで構成されている。
【００２１】
室内機２０は、室内機制御手段としての室内機制御部２１、通信手段としての室内機通信部２２、記憶部２３、ＡＣ電源８０から入力される交流電圧を電源として使用すると共に、室外機４０の室外機電源部４９へ交流電圧を供給する室内機電源部２４、本体ユニット２６３のメインファン２６５、サイドファン２６６、および、室内温度を検出する室温センサ２６などを備えている。室内機制御部２１は、室温センサ２６で検出された室内温度と、記憶部２３に格納されたプログラムおよび各種パラメータを用いて、室内機通信部２２および室外機通信部４７を介して、室外機４０の室外機制御部４６との間で空調制御に関する様々な情報をやり取りしながら室内機２０の各部、および室外機４０に対する制御を行っている。
【００２２】
室内機制御部２１は、暖房運転中に室外機４０の室外機制御部４６より室外熱交換器４４が着霜したと判定を受けるとリバース除霜運転を開始させるとともに、図５に示すように、メインファン２６５のメインファン気流３０１を停止させ、サイドファン２６６からの左サイドファン気流３４１１と右サイドファン気流３４２１の風向を水平にして、送風を開始する。これは、リバース除霜運転中は、冷媒の流れが冷房運転と同じになり室内熱交換器２６４の温度が下がることから、メインファン２６５を停止させないと室内に冷気が吹き出るからである。また、サイドファン２６６の風向を水平にして、送風を開始するのは、暖房運転が停止して暖気の流れが止まると、暖気が上部に溜まり冷気が下部に留まって、部屋の下部にいるユーザが寒く感じないようにするため、室内空気全体を攪拌して室内の上部と下部との温度差を少なくするためである。
【００２３】
さらに、室内機制御部２１は、室外機４０の室外機制御部４６より除霜が終了したと判定を受けるとリバース除霜運転を解除し、暖房運転を再開するが、室内熱交換器２６４の温度が直ぐに上昇しないため、メインファン２６５の停止状態を一定時間継続させる。この時、サイドファンは継続して運転する。つまり、室内機制御部２１は、室内熱交換器２６４の温度が一定温度（例えば、人の体温である３７℃）まで上昇したことを不図示の温度センサで検出してから、メインファン２６５を動作させる。暖房運転中の気流状態は、図４に示すように、メインファン気流３０１の上下方向の風向は、床面７１に暖気を供給するように、下向きに吹き出し、メインファン気流３０１の左右方向の風向を中央正面としている。また、左吹出口３４１から吹き出される左サイドファン気流３４１１と、右吹出口３４２から吹き出される右サイドファン気流３４２１は、ここではメインファン気流３０１に対して左右方向で１０°ずつ内側を向くように吹き出すと共に、暖気であるメインファン気流３０１に対して上から抑え込むように、左ファンユニット２６１および右ファンユニット２６２を水平方向から下向きに４５°程度回動させることで、左サイドファン気流３４１１と右サイドファン気流３４２１を下向きかつメインファン気流３０１よりも少し上に吹き出している。このように、暖房運転時は、メインファン気流３０１を下向き正面に吹き出し、左サイドファン気流３４１１と右サイドファン気流３４２１とがメインファン気流３０１に対して左右方向で１０°ずつ内側を向き、メインファン気流３０１よりも温度の低い室内空気で上から抑え込むように吹き出すことから、暖気の上昇を抑えて人７２などが居る部屋の下部を中心に暖気を広げることで、床面７１付近を暖めることができると共に、暖気を対流させることができる。
【００２４】
室外機４０は、冷凍回路の圧縮機４３、室外熱交換器４４、室外熱交換器４４の温度を検出する室外熱交換器温度検出手段としての室外熱交換器温度センサ４４ｂ、室外機４０を制御する室外機制御手段としての室外機制御部４６、通信手段としての室外機通信部４７、記憶部４８、および、室外機電源部４９を備え、その室外機電源部４９には、ＡＣ電源からＤＣ電圧に変換するＡＣ／ＤＣコンバータ４９０と圧縮機４３の回転数制御を行うインバータ４９１を備えている。
【００２５】
インバータ４９１は、ＡＣ／ＤＣコンバータ４９０からの直流電圧を交流電圧に変換して圧縮機４３に備えられた図示しないモータ（ブラシレスＤＣモータ等）を駆動する回路であり、複数のパワートランジスタ等のスイッチング素子や、スイッチング素子を保護するための複数のフライバックダイオードで構成されている。
【００２６】
室外機制御部４６は、室外機通信部４７および室内機通信部２２を介して、室内機２０の室内機制御部２１との間で空調制御に関する様々な情報をやり取りしている。また、室外機制御部４６は、室外熱交換器温度センサ４４ｂが検出する温度に応じて、除霜運転を開始したり、除霜運転を解除する。例えば、室外機制御部４６は、室外熱交換器温度センサ４４ｂにより室外熱交換器の温度がマイナス１０℃まで低下したことを検出した場合、室外熱交換器４４が着霜したと判断して、図２に示す四方弁４２を切り換えて冷媒の流れを逆にしてリバース除霜運転を開始する。また、室外機制御部４６は、リバース除霜運転開始後に室外熱交換器温度センサ４４ｂが０℃以上を検出した場合、除霜が終了したと判断して、四方弁４２を暖房運転の冷媒の流れに戻してリバース除霜運転を解除する。なお、室外機制御部４６は、膨張弁４５の開閉制御や室外熱交換器４４の室外ファン４４ａなども制御する。
【００２７】
図６は、本発明の実施例に係る空気調和機の動作を説明するフローチャートであり、以下、図６のフローチャートを用いて本実施例の動作を説明する。本実施例の室内機２０の室内機制御部２１は、空気調和機が運転を開始すると、その運転モードが暖房運転モードか否かを判断する（ステップＳ１００）。暖房運転モードの時は、ステップＳ１０１に移行して、室内機制御部２１は、冷凍回路を暖房サイクルにして暖房運転が行われる（図４に示す暖房運転時の気流状態）。
【００２８】
ステップＳ１０２で運転モードが変更された場合は（ステップＳ１０２でＹｅｓ）、ステップＳ１０９に移行して暖房運転モード以外、例えば冷房運転モード、除湿運転モード、送風モードなどのそれぞれの運転モードに応じた運転処理が行われる。
【００２９】
また、ステップＳ１０２で運転モードに変更が無い場合は（ステップＳ１０２でＮｏ）、ステップＳ１０３に移行して、室外機制御部４６は、定期的に室外熱交換器温度センサ４４ｂの検出温度を確認し、室外熱交換器４４の温度が除霜開始温度（例えば、マイナス１０℃）まで低下したか否かを判断する（ステップＳ１０３）。室外機制御部４６は、室外熱交換器４４の温度が除霜開始温度まで低下していなければ（ステップＳ１０３でＮｏ）、ステップＳ１０１に戻って、暖房運転を継続する。
【００３０】
室外機制御部４６は、ステップＳ１０３で室外熱交換器４４の温度が除霜開始温度（マイナス１０℃）まで低下した場合（ステップＳ１０３でＹｅｓ）、室外機制御部４６は、室内機制御部２１に室外熱交換器４４が着霜したことを通知することで室内機制御部２１は、暖房運転を停止し、リバース除霜運転を開始する（ステップＳ１０４）。つまり、図２の四方弁４２を切り換えて冷媒の流れを暖房運転と逆にし、室外熱交換器４４の温度を上げることで霜を溶かす。また、室内機制御部２１は、室内機２０のメインファン２６５を停止し、サイドファン２６６の風向を水平にして動作させ、室内空気を攪拌することで（ステップＳ１０５）、室内の上部と下部との温度差を生じ難くし、リバース除霜運転中であっても室内の下部にいるユーザに寒さを感じさせないようにする（図５に示すリバース除霜運転時の気流状態）。
【００３１】
リバース除霜運転中において、室外機制御部４６は、定期的に室外熱交換器温度センサ４４ｂの検出温度を確認し、室外熱交換器４４の温度が除霜終了温度（例えば、０℃）まで上昇したか否かを判断する（ステップＳ１０６）。室外機制御部４６は、室外熱交換器４４の温度が除霜終了温度まで上昇していなければ（ステップＳ１０６でＮｏ）、ステップＳ１０５に戻って、リバース除霜運転を継続する。
【００３２】
室外機制御部４６は、ステップＳ１０６で室外熱交換器４４の温度が除霜終了温度（０℃）まで上昇した場合（ステップＳ１０６でＹｅｓ）、室外機制御部４６は、室内機制御部２１に室外熱交換器４４が除霜したことを通知することで室内機制御部２１は、リバース除霜運転を解除し、暖房運転に戻す（ステップＳ１０７）。つまり、図２の四方弁４２を切り換えて冷媒の流れを暖房運転に戻す。その際、室内機制御部２１は、上述したように、冷媒の流れを暖房運転に戻しても室内熱交換器２６４の温度が直ぐには上昇しないため、室内熱交換器２６４の温度が所定の温度（例えば、３７℃）になるまでメインファン２６５を停止させ、冷気が室内に吹き出ないようにする必要がある。
【００３３】
その後、ステップＳ１０８において運転停止か否かを判断し、運転停止ならば運転を終了するが（ステップＳ１０８でＹｅｓ）、運転停止でなければステップＳ１００に戻って上記処理が繰り返される。
【００３４】
また、ステップＳ１００において、運転モードが暖房運転モード以外、例えば冷房運転モード、除湿運転モード、送風モードなどの場合は（ステップＳ１００でＮｏ）、それぞれの運転モードに応じた運転処理が行われる（ステップＳ１０９）。ステップＳ１１０で運転モードが変更された場合は（ステップＳ１１０でＹｅｓ）、ステップＳ１００に戻って変更された運転モードが暖房運転モードか否かを判断する。
【００３５】
また、ステップＳ１１０で運転モードに変更が無い場合は（ステップＳ１１０でＮｏ）、ステップＳ１１１において運転停止か否かを判断し、運転停止ならば運転を終了するが（ステップＳ１１１でＹｅｓ）、運転停止でなければステップＳ１０９に戻って当該運転モードでの運転処理が継続される。
【００３６】
上記の説明では、着霜判定手段は室外機制御部内４６に備えていて、室外熱交換器温度センサ４４ｂで検出した温度を監視し、予め定めた除霜開始温度まで低下すると着霜したと判定するようになっている。それ以外の方法としては、着霜判定手段は室内機制御部２１に備え、室外機制御部４６から定期的に室外熱交換器温度センサ４４ｂで検出した温度データを受信し、受信した温度データが着霜したと判断する温度まで低下すると着霜したと判定してもよい。または、暖房運転を２時間したら除霜運転３０分行うように時間で管理してもよい。
【００３７】
なお、上記の説明では、除霜運転時のメインファン２６５を停止としているが、室温を監視するためなどに低速運転を行う場合も停止の中に含まれる。
【００３８】
このように、本実施例の空気調和機によれば、室外機制御部４６は暖房運転中に室外熱交換器４４の温度を室外熱交換器温度センサ４４ｂで検出し、除霜開始温度まで低下した場合、室外熱交換器４４が着霜したと判断し、冷凍回路を冷房サイクルに切り換えて、リバース除霜運転で除霜を行う。これと同時に、室内機制御部２１は、メインファン２６５を停止させ、サイドファン２６６だけ動作させる。このため、本実施例の空気調和機は、リバース除霜運転時に室内に冷気が出ないようにすると共に、サイドファン２６６のサーキュレーション作用を用いて室内空気を攪拌することで、暖房運転停止中に室内の上部と下部との温度差が生じることを防止して、リバース除霜運転中であってもユーザに寒さを感じさせないようにすることができる。
【００３９】
特に、リバース除霜運転時におけるサイドファン２６６の風向は、水平にして送風させることで、室内空気全体を効率良く攪拌することが可能となり、室内の上部と下部との温度差がより小さくできる。
【産業上の利用可能性】
【００４０】
以上のように、本発明にかかる空気調和機は、空気調和機の室内機に熱交換器を通過させた調和空気を送風するメインファンによる吹出口と、該メインファンの両側の少なくとも一方に熱交換器を通過させない室内空気を送風するサイドファンによる吹出口が配置され、各吹出口から吹き出される気流の風量と風向とを個別に調節可能な空気調和機に有用であり、暖房運転時に除霜運転を開始してもメインファンを停止しサイドファンを動作させて室内の上部と下部との温度差を少なくすることで、除霜運転中であってもユーザに寒さを感じさせないようにすることができる空気調和機を提供することができる。
【符号の説明】
【００４１】
１０  リモコン
２０  室内機
２１  室内機制御部
２２  室内機通信部
２３  記憶部
２４  室内機電源部
２５  リモコン送受信部
２６  室温センサ
２７  主筐体
２８  筐体本体
２９  外装パネル
３０  中央吹出口
３０１  メインファン気流
３０ａ  前端
３０ｂ  後端
３１ａ、３１ｂ  上下風向板
３２ａ、３２ｂ、３５  水平軸線
３６  サイドパネル
３７  側面吸込口
４０  室外機
４１  冷凍回路
４２  四方弁
４２ａ  第１口
４２ｂ  第２口
４２ｃ  第３口
４２ｄ  第４口
４３  圧縮機
４３ａ、４３ｂ  吐出管
４４  室外熱交換器
４４ａ  室外ファン
４４ｂ  室外熱交換器温度センサ
４５  膨張弁
４６  室外機制御部
４７  室外機通信部
４８  記憶部
４９  室外機電源部
８０  ＡＣ電源
２６１  左ファンユニット
２６２  右ファンユニット
２６３  本体ユニット
２６４  室内熱交換器
２６５  メインファン
２６６  サイドファン
３３１  左サイドファン筐体
３３２  右サイドファン筐体
３４１  左吹出口
３４１ａ  左右風向板
３４２  右吹出口
３４２ａ  左右風向板
４９０  ＡＣ／ＤＣコンバータ
４９１  インバータ
【図１】
2014173737.tif 000003
【図２】
2014173737.tif 000004
【図３】
2014173737.tif 000005
【図４】
2014173737.tif 000006
【図５】
2014173737.tif 000007
【図６】
2014173737.tif 000008